(57)【要約】【課題】  管理者が管理する１または２以上の移動者端末のうち，管理者により指定された検索対象領域内に存在する移動者端末に対してのみ現在位置情報を問い合わせる。【解決手段】  移動者端末により取得された位置情報を受信する位置情報受信部３０４と；移動者端末の位置情報を記憶する位置情報記憶部３１４と；移動者端末のうち，位置情報記憶部に記憶された位置情報が検索対象領域内であり，検索対象となる１または２以上の検索対象移動者端末を抽出する検索対象移動者端末抽出部３１６と；検索対象移動者端末に，現在の位置情報を問い合わせる位置情報問い合わせ部３２４と；検索対象移動者端末の現在の位置情報が，検索対象領域内であるか否かを判定する現在位置情報判定部３１８と；検索対象領域内移動者端末の現在の位置情報を，移動者管理端末に送信する現在位置情報送信部３２６と；を備える。【選択図】    図２
2006245787.tif 000002
【特許請求の範囲】
【請求項１】
１または２以上の移動者端末と，前記移動者端末を管理する移動者管理端末と，位置情報検索サーバとがネットワークを介して接続可能な位置情報検索システムであって：
前記移動者端末は，
所定の間隔で自身の位置情報を取得する位置情報取得部と；
前記位置情報取得部により取得された位置情報を前記位置情報検索サーバに送信する位置情報送信部と；を備え，
前記移動者管理端末は，
管理者により前記移動者端末の検索対象領域を入力可能な検索対象領域入力部と；
前記検索対象領域入力部により入力された前記検索対象領域を前記位置情報検索サーバに送信する検索対象領域送信部と；
前記検索対象領域内に存在する移動者端末の位置情報を表示する表示部と；を備え，
前記位置情報検索サーバは，
前記移動者端末により取得された位置情報を受信する位置情報受信部と；
前記移動者端末の位置情報を記憶する位置情報記憶部と；
前記移動者管理端末により前記検索対象領域が入力された場合，前記移動者端末のうち，前記位置情報記憶部に記憶された位置情報が前記検索対象領域内であり，検索対象となる１または２以上の検索対象移動者端末を抽出する検索対象移動者端末抽出部と；
前記検索対象移動者端末抽出部により抽出された検索対象となる１または２以上の前記検索対象移動者端末に，現在の位置情報を問い合わせる位置情報問い合わせ部と；
前記位置情報問い合わせ部により問い合わせられた１または２以上の前記検索対象移動者端末の現在の位置情報が，前記検索対象領域内であるか否かを判定する現在位置情報判定部と；
前記現在位置情報判定部により，前記検索対象移動者端末のうち，前記検索対象領域内に存在すると判定された１または２以上の検索対象領域内移動者端末の現在の位置情報を，前記移動者管理端末に送信する現在位置情報送信部と；を備えることを特徴とする，位置情報検索システム。
【請求項２】
所定の間隔で自身の位置情報を取得する１または２以上の移動者端末と，前記移動者端末を管理し，管理者により前記移動者端末の検索対象領域を入力可能な移動者管理端末と，ネットワークを介して接続可能な位置情報検索サーバであって：
前記移動者端末により取得された位置情報を受信する位置情報受信部と；
前記移動者端末の位置情報を記憶する位置情報記憶部と；
前記移動者管理端末により前記検索対象領域が入力された場合，前記移動者端末のうち，前記位置情報記憶部に記憶された位置情報が前記検索対象領域内であり，検索対象となる１または２以上の検索対象移動者端末を抽出する検索対象移動者端末抽出部と；
前記検索対象移動者端末抽出部により抽出された検索対象となる１または２以上の前記検索対象移動者端末に，現在の位置情報を問い合わせる位置情報問い合わせ部と；
前記位置情報問い合わせ部により問い合わせられた１または２以上の前記検索対象移動者端末の現在の位置情報が，前記検索対象領域内であるか否かを判定する現在位置情報判定部と；
前記現在位置情報判定部により，前記検索対象移動者端末のうち，前記検索対象領域内に存在すると判定された１または２以上の検索対象領域内移動者端末の現在の位置情報を，前記移動者管理端末に送信する現在位置情報送信部と；を備えることを特徴とする，位置情報検索サーバ。
【請求項３】
前記位置情報記憶部は，前記移動者端末を特定する移動者端末特定情報と，前記移動者端末により取得された位置情報と，前記位置情報の時系列データとを関連付けて記憶し，
前記検索対象移動者端末抽出部は，前記位置情報記憶部に記憶された前記時系列データに基づいて，前記１または２以上の移動者端末のうち，前記検索対象領域内である可能性のある検索対象となる１または２以上の検索対象移動者端末を抽出することを特徴とする，請求項２に記載の位置情報検索サーバ。
【請求項４】
前記位置情報記憶部に記憶された時系列データは，前記移動者端末の位置情報が記憶された位置情報記憶時刻と，前記位置情報記憶時刻に基づいて算出された移動者端末の移動の速度および移動の方向とを含むことを特徴とする，請求項３に記載の位置情報検索サーバ。
【請求項５】
前記検索対象移動者端末抽出部は，前記移動者管理端末により入力された前記検索対象領域と前記位置情報記憶部に記憶された前記移動者端末の位置情報との距離と，前記移動者端末の移動速度と，前記移動者端末の移動方向とに基づいて，前記検索対象領域に検索対象移動者端末が存在するか否かを判定することを特徴とする，請求項３に記載の位置情報検索サーバ。
【請求項６】
前記移動者端末の位置情報に該当する住所情報を算出する住所情報算出部をさらに備え，
前記位置情報記憶部は，前記住所情報算出部により算出された前記住所情報を記憶することを特徴とする，請求項２に記載の位置情報検索サーバ。
【請求項７】
前記移動者管理端末により入力された検索対象領域の地図情報上に，前記移動者端末の位置情報を表示する位置情報表示データを作成する表示データ作成部をさらに備えることを特徴とする，請求項２に記載の位置情報検索サーバ。
【請求項８】
所定の間隔で自身の位置情報を取得する１または２以上の移動者端末と，前記移動者端末を管理し，管理者により前記移動者端末の検索対象領域を入力可能な移動者管理端末と，ネットワークを介して接続可能な位置情報検索サーバをして：
前記移動者端末により取得された位置情報を受信する位置情報受信処理と；
前記移動者端末の位置情報を記憶する位置情報記憶処理と；
前記移動者管理端末により前記検索対象領域が入力された場合，前記移動者端末のうち，前記位置情報記憶処理に記憶された位置情報が前記検索対象領域内であり，検索対象となる１または２以上の検索対象移動者端末を抽出する検索対象移動者端末抽出処理と；
前記検索対象移動者端末抽出処理により抽出された検索対象となる１または２以上の前記検索対象移動者端末に，現在の位置情報を問い合わせる位置情報問い合わせ処理と；
前記位置情報問い合わせ処理により問い合わせられた１または２以上の前記検索対象移動者端末の現在の位置情報が，前記検索対象領域内であるか否かを判定する現在位置情報判定処理と；
前記現在位置情報判定処理により，前記検索対象移動者端末のうち，前記検索対象領域内に存在すると判定された１または２以上の検索対象領域内移動者端末の現在の位置情報を，前記移動者管理端末に送信する現在位置情報送信処理と；を実行せしめることを特徴とする，コンピュータプログラム。
【発明の詳細な説明】
【技術分野】
【０００１】
本発明は，移動者端末を管理する移動者管理端末により入力された検索対象領域内に位置する移動者端末の位置情報を検索する位置情報検索システム，位置情報検索サーバおよび位置情報検索方法に関する。
【背景技術】
【０００２】
近年，携帯電話機の機能のひとつとして，ＧＰＳ（Ｇｌｏｂａｌ  Ｐｏｓｉｔｉｏｎｉｎｇ  Ｓｙｓｔｅｍ）衛星から発信される情報やＰＨＳ（Ｐｅｒｓｏｎａｌ  Ｈａｎｄｙｐｈｏｎ  Ｓｙｓｔｅｍ）用や携帯電話機用に設置された基地局で得られる情報を利用して，携帯電話機の位置情報を取得する機能がある。この携帯電話機により取得された位置情報をサーバが取得することにより，管理者が携帯電話機を所持する外出者の所在位置を確認することが可能となる。
【０００３】
例えば，位置情報を取得可能な携帯電話機を所持した外出者の所在位置を管理する方法が特許文献１に開示されている。管理者が携帯電話機を所持する外出者の所在位置を確認する方法としては，携帯電話機の番号を指定する方法，携帯電話機を所持している者の名前を指定する方法，携帯電話機が所在している領域を指定する方法などがある。ここで，携帯電話機が所在している地域を指定する場合には，以下の手順で指定した地域内に存在する携帯電話機の所在位置が管理者に通知される。
【０００４】
（１）管理者がサーバに検索対象となる領域を指定して検索依頼を送信する。
（２）サーバにおいて，管理者が管理している携帯電話機が抽出される。
（３）（２）において抽出された携帯電話機すべてに対して，サーバから位置情報の問い合わせを行う。
（４）サーバより問い合わせを受けた携帯電話機はＧＰＳ機能等により現在位置を取得して，取得した現在位置情報をサーバに送信する。
（５）携帯電話機より位置情報を取得したサーバは，検索対象領域内に所在する携帯電話を抽出して管理者に提供する。
【０００５】
上記（１）〜（５）の方法により，管理者は，検索対象領域内の自身が管理する携帯電話機の現在位置情報を取得することが可能となる。
【０００６】
【特許文献１】特開２００３−４７０３２号公報
【発明の開示】
【発明が解決しようとする課題】
【０００７】
しかし，上記（１）〜（５）の方法により検索領域内の携帯電話機の現在位置情報を取得する場合には，まず初めに，検索対象となるすべての携帯電話機に対して位置情報の問い合わせを行わなければならない。すなわち，検索領域内に存在する携帯電話機だけではなく，管理者が管理する携帯電話機すべてに対して位置情報の問い合わせを行う必要がある。したがって，携帯電話機が検索領域内に存在するか否かにかかわらず，管理者が管理する携帯電話機すべての位置情報を取得した後に，検索領域内に存在する携帯電話機を抽出しなければならず，検索時間に時間がかかるという問題があった。
【０００８】
そこで，本発明は，このような問題に鑑みてなされたもので，その目的とするところは，管理者が管理する１または２以上の移動者端末のうち，管理者により指定された検索対象領域内に存在する移動者端末に対してのみ現在位置情報を問い合わせることが可能な新規かつ改良された，位置情報検索システム，位置情報検索サーバおよび位置情報検索方法を提供することにある。
【課題を解決するための手段】
【０００９】
上記課題を解決するために，本発明のある観点によれば，１または２以上の移動者端末と，移動者端末を管理する移動者管理端末と，位置情報検索サーバとがネットワークを介して接続可能な位置情報検索システムであって：移動者端末は，所定の間隔で自身の位置情報を取得する位置情報取得部と；位置情報取得部により取得された位置情報を位置情報検索サーバに送信する位置情報送信部と；を備え，移動者管理端末は，管理者により移動者端末の検索対象領域を入力可能な検索対象領域入力部と；検索対象領域入力部により入力された検索対象領域を位置情報検索サーバに送信する検索対象領域送信部と；検索対象領域内に存在する移動者端末の位置情報を表示する表示部と；を備え，位置情報検索サーバは，移動者端末により取得された位置情報を受信する位置情報受信部と；移動者端末の位置情報を記憶する位置情報記憶部と；移動者管理端末により検索対象領域が入力された場合，移動者端末のうち，位置情報記憶部に記憶された位置情報が検索対象領域内であり，検索対象となる１または２以上の検索対象移動者端末を抽出する検索対象移動者端末抽出部と；検索対象移動者端末抽出部により抽出された検索対象となる１または２以上の検索対象移動者端末に，現在の位置情報を問い合わせる位置情報問い合わせ部と；位置情報問い合わせ部により問い合わせられた１または２以上の検索対象移動者端末の現在の位置情報が，検索対象領域内であるか否かを判定する現在位置情報判定部と；現在位置情報判定部により，検索対象移動者端末のうち，検索対象領域内に存在すると判定された１または２以上の検索対象領域内移動者端末の現在の位置情報を，移動者管理端末に送信する現在位置情報送信部と；を備えることを特徴とする，位置情報検索システムが提供される。
【００１０】
上記位置情報とは，緯度経度情報などの移動端末の位置を表す情報であって，ＧＰＳ（Ｇｌｏｂａｌ  Ｐｏｓｉｔｉｏｎｉｎｇ  Ｓｙｓｔｅｍ）衛星から発信される情報やＰＨＳ（Ｐｅｒｓｏｎａｌ  Ｈａｎｄｙｐｈｏｎ  Ｓｙｓｔｅｍ）用や携帯電話機用に設置された基地局で得られる情報を利用して取得される情報である。
【００１１】
上記移動者端末は，所定の間隔で位置情報を取得するようにしてもよいし，移動者端末を所有するユーザの入力に応じて位置情報を取得するようにしてもよい。また，位置情報検索サーバや移動者管理端末の指示に応じて位置情報を取得するようにしてもよい。
【００１２】
上記移動者管理端末は，移動者端末を管理する管理者が所有する端末であって，例えば，移動者端末の利用契約を結んでいる者が所有する端末である。移動者管理端末より入力される検索対象領域とは，移動者端末を検索する領域であって，例えば，地図上の一定の領域であってもよいし，市や県やランドマーク等であってもよい。管理者は，移動者管理端末の表示画面に表示される地図のなかから，検索したい領域をマウスポインタ等を用いて指定したり，入力画面より市や県等の名称等を入力したりすることができる。
【００１３】
上記発明によれば，移動者端末により取得された位置情報が位置情報検索サーバに記憶され，移動者管理端末により入力された検索対象領域内に存在する移動者端末を抽出することができる。そして，抽出された移動者端末に対して現在の位置情報が問い合わせられ，検索対象領域内に存在する移動者端末の位置情報のみ移動者管理端末に送信される。
【００１４】
これにより，管理者が管理するすべての移動者端末に位置情報を問い合わせなくとも，検索対象領域内に存在する移動者端末にのみ位置情報を問い合わせることが可能となり，位置情報取得時間を短縮することが可能となる。また，明らかに検索対象領域外に所在する移動者端末についての位置情報は取得されないため，移動者端末を所有する移動者のプライバシーを考慮することが可能となる。
【００１５】
上記課題を解決するために，本発明の別の観点によれば，所定の間隔で自身の位置情報を取得する１または２以上の移動者端末と，移動者端末を管理し，管理者により移動者端末の検索対象領域を入力可能な移動者管理端末と，ネットワークを介して接続可能な位置情報検索サーバであって：移動者端末により取得された位置情報を受信する位置情報受信部と；移動者端末の位置情報を記憶する位置情報記憶部と；移動者管理端末により検索対象領域が入力された場合，移動者端末のうち，位置情報記憶部に記憶された位置情報が検索対象領域内であり，検索対象となる１または２以上の検索対象移動者端末を抽出する検索対象移動者端末抽出部と；検索対象移動者端末抽出部により抽出された検索対象となる１または２以上の検索対象移動者端末に，現在の位置情報を問い合わせる位置情報問い合わせ部と；位置情報問い合わせ部により問い合わせられた１または２以上の検索対象移動者端末の現在の位置情報が，検索対象領域内であるか否かを判定する現在位置情報判定部と；現在位置情報判定部により，検索対象移動者端末のうち，検索対象領域内に存在すると判定された１または２以上の検索対象領域内移動者端末の現在の位置情報を，移動者管理端末に送信する現在位置情報送信部と；を備えることを特徴とする，位置情報検索サーバが提供される。
【００１６】
上記方法によれば，管理者が管理している移動者端末すべてに位置情報を問い合わせるのではなく，検索対象領域内に存在する可能性のある移動者端末にのみ位置情報を問い合わせて，検索対象領域内に現在存在している移動者端末の位置情報のみ移動者管理端末に送信することができる。このように，位置情報の問い合わせ先となる対象を絞り込むことにより，管理者に検索対象領域内に存在している移動者端末の位置情報のみ送信することができる。したがって，管理者が管理している移動者端末すべてに位置情報を問い合わせる場合に比べ，検索対象領域内に存在している移動者端末の位置情報を問い合わせて管理者に送信するまでにかかる時間を短縮することが可能となる。
【００１７】
また，上記位置情報検索サーバに備わる位置情報記憶部は，移動者端末を特定する移動者端末特定情報と，移動者端末により取得された位置情報と，位置情報の時系列データとを関連付けて記憶し，検索対象移動者端末抽出部は，位置情報記憶部に記憶された時系列データに基づいて，１または２以上の移動者端末のうち，検索対象領域内である可能性のある検索対象となる１または２以上の検索対象移動者端末を抽出するようにしてもよい。
【００１８】
これにより，位置情報記憶部に記憶されている移動者端末の位置情報が検索対象領域外であっても，移動者端末が検索対象領域内に移動する可能性が高いか否かを判定して，検索対象領域内に存在する可能性のある移動者端末を抽出することが可能となる。
【００１９】
また，上記位置情報記憶部に記憶された時系列データは，移動者端末の位置情報が記憶された位置情報記憶時刻と，位置情報記憶時刻に基づいて算出された移動者端末の移動の速度および移動の方向とを含んでもよい。
【００２０】
また，上記位置情報検索サーバに備わる検索対象移動者端末抽出部は，移動者管理端末により入力された検索対象領域と位置情報記憶部に記憶された移動者端末の位置情報との距離と，移動者端末の移動速度と，移動者端末の移動方向とに基づいて，検索対象領域に検索対象移動者端末が存在するか否かを判定するようにしてもよい。これにより，情報記憶装置に記憶されている位置情報が検索対象領域内でない場合でも，移動者端末の移動速度や移動方向を勘案して，検索対象領域内に移動者端末が存在する可能性があるか否かを判定することが可能となる。
【００２１】
また，上記位置情報検索サーバに，上記移動者端末の位置情報に該当する住所情報を算出する住所情報算出部をさらに備え，位置情報記憶部は，住所情報算出部により算出された住所情報を記憶するようにしてもよい。
【００２２】
また，上記位置情報検索サーバに，上記移動者管理端末により入力された検索対象領域の地図情報上に，移動者端末の位置情報を表示する位置情報表示データを作成する表示データ作成部をさらに備えてもよい。
【００２３】
上記課題を解決するために，本発明の別の観点によれば，所定の間隔で自身の位置情報を取得する１または２以上の移動者端末と，移動者端末を管理し，管理者により移動者端末の検索対象領域を入力可能な移動者管理端末と，ネットワークを介して接続可能な位置情報検索サーバをして：移動者端末により取得された位置情報を受信する位置情報受信処理と；移動者端末の位置情報を記憶する位置情報記憶処理と；移動者管理端末により検索対象領域が入力された場合，移動者端末のうち，位置情報記憶処理に記憶された位置情報が前記検索対象領域内であり，検索対象となる１または２以上の検索対象移動者端末を抽出する検索対象移動者端末抽出処理と；検索対象移動者端末抽出処理により抽出された検索対象となる１または２以上の検索対象移動者端末に，現在の位置情報を問い合わせる位置情報問い合わせ処理と；位置情報問い合わせ処理により問い合わせられた１または２以上の検索対象移動者端末の現在の位置情報が，検索対象領域内であるか否かを判定する現在位置情報判定処理と；現在位置情報判定処理により，検索対象移動者端末のうち，検索対象領域内に存在すると判定された１または２以上の検索対象領域内移動者端末の現在の位置情報を，移動者管理端末に送信する現在位置情報送信処理と；を実行せしめることを特徴とする，コンピュータプログラムが提供される。
【発明の効果】
【００２４】
以上説明したように本発明によれば，管理者が管理する１または２以上の移動者端末のうち，管理者により指定された検索対象領域内に存在する移動者端末に対してのみ現在位置情報を問い合わせることにより，検索対象となる移動者端末の位置情報取得時間を短縮することができる。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
（第１実施形態）
第１実施形態では，管理者が管理する移動者端末と，移動者管理端末と，位置情報検索サーバとがネットワークを介して接続可能な位置情報検索システム１０に本発明にかかる位置情報検索システムを適用して説明する。本実施形態では，移動者端末により取得された位置情報が位置情報検索サーバに送信され記憶される。また，移動者管理端末を所有する管理者により検索対象領域が入力され，位置情報検索サーバに送信される。そして，管理者により移動者管理端末を介して入力された検索対象領域内に存在する移動者端末の現在位置情報が，移動者管理端末に送信される。
【００２７】
＜１．位置情報検索システムの全体構成＞
図１に基づいて，本実施形態にかかる位置情報検索システム１０の全体構成について説明する。図１は，本実施形態にかかる位置情報検索システム１０を示す全体構成図である。位置情報検索システム１０は，移動者端末１００−１〜１００−ｎ（以下，これらの移動者端末を個々に区別する必要がない場合，単に移動者端末１００とする）と，移動者管理端末２００と，位置情報検索サーバ３００と，ネットワーク４００などを備える。
【００２８】
移動者端末１００は，管理者が管理する移動者が所有する端末である。また，移動者端末１００は，移動者の位置情報を取得する機能を有する情報処理装置であって，例えば携帯電話やＰＤＡ（Ｐｅｒｓｏｎａｌ  Ｄｉｇｉｔａｌ  Ａｓｓｉｓｔａｎｔ）や小型のＰＣ（Ｐｅｒｓｏｎａｌ  Ｃｏｍｐｕｔｅｒ）など，移動者が持ち歩くことが可能な端末である。位置情報を取得する方法としては，例えば，ＧＰＳ衛星から発信される情報や，携帯電話やＰＨＳ用に設置された基地局で得られる情報を利用して位置情報を取得し，取得した位置情報を位置情報検索サーバ３００に送信することができる。
【００２９】
通常，ＧＰＳ信号受信機能を利用した位置情報の測位と送信は，移動者端末１００により位置情報取得の操作が行われるか，位置情報検索サーバ３００からの問い合わせがあった場合に行われるが，所定の間隔で移動者端末１００により位置情報取得の操作が行われるようにしてもよい。また，基地局を利用した位置情報の算出においては，移動者端末１００は，定期的に基地局と通信を行っているため，位置情報検索サーバ３００からの問い合わせの他に，移動者端末１００において定期的に位置情報取得の操作が行われるようにしてもよい。
【００３０】
移動者管理端末２００は，移動者端末１００を管理する管理者が所有する端末であって，例えば移動者端末１００の利用契約を結んでいる者が所有する端末である。移動者管理端末２００を所有する管理者は，移動者管理端末２００により移動者端末１００の検索対象領域を入力することができる。管理者により入力される検索対象領域は，例えば，移動者管理端末２００の表示画面に地図を表示させ，表示された地図のなかから，検索したい領域をマウスポインタ等を用いて指定するようにしてもよい。また，市や県やランドマーク等により，検索対象領域を指定するようにしてもよい。管理者により入力された検索対象領域情報は，移動者管理端末２００を介して位置情報検索サーバ３００に送信される。そして，位置情報検索サーバ３００は，検索対象領域内に存在する移動者端末１００の現在位置情報を移動者管理端末２００に送信する。
【００３１】
位置情報検索サーバ３００は，移動者端末１００より送信された位置情報を受信して，受信した位置情報を情報記憶装置に記憶する機能を有する。また，移動者管理端末２００により送信された検索対象領域を受信して，その検索対象領域内である移動者端末１００の現在位置情報を管理者端末２００に送信する。
【００３２】
従来，検索対象領域を指定して，検索対象領域内の移動者端末の現在位置情報を取得する場合には，移動者管理端末２００が管理するすべての移動者端末１００に位置情報の問い合わせを行わなければならなかった。しかし，本発明にかかる位置情報検索サーバ３００は，検索対象領域内に存在する移動者端末３００にのみ位置情報を問い合わせることができる。
【００３３】
位置情報検索サーバ３００に備わる情報記憶装置には，移動者端末１００の位置情報が記憶されているため，記憶された位置情報が検索対象領域内である移動者端末１００のみ抽出し，抽出した移動者端末１００にのみ位置情報を問い合わせることができる。また，位置情報検索サーバ３００は，検索対象領域内に存在する可能性がある移動者端末１００を抽出して，その移動者端末１００にも位置情報を問い合わせることができる。検索対象領域内に存在する可能性があるとは，位置情報記憶装置に記憶されている位置情報が検索対象領域外であっても，移動者端末が検索対象領域内に存在する可能性があることをいう。例えば，情報記憶装置に記憶されている位置情報が検索対象領域内でない場合でも，移動者端末１００の移動速度や移動方向を勘案して，検索対象領域内に移動者端末１００が存在する可能性があるか否かを判定することが可能となる。移動者端末１００の移動速度や移動方向は，情報記憶装置に記憶されている移動者端末１００の直近２点の位置情報と，その位置情報が記憶された時刻により算出するようにしてもよい。
【００３４】
情報記憶装置に記憶された位置情報が検索対象領域内であるか，検索対象領域内に存在する可能性のある移動者端末１００に対して現在位置情報が問い合わせられ，位置情報検索サーバ３００に送信される。そして，位置情報検索サーバ３００は，移動者端末１００−１〜１００−ｎのうち，現在位置情報が検索対象領域内である移動者端末１００−ｘの現在の位置情報を移動者管理端末２００に送信する。
【００３５】
上記位置情報検索システム１０によれば，管理者が管理するすべての移動者端末１００−１〜１００−ｎに位置情報を問い合わせなくとも，検索対象領域内に存在する移動者端末にのみ位置情報を問い合わせることが可能となり，位置情報取得時間を短縮することが可能となる。また，明らかに検索対象領域外に所在する移動者端末１００についての位置情報は取得されないため，移動者端末１００を所有する移動者のプライバシーを考慮することが可能となる。
【００３６】
ネットワーク４００は，上記移動者端末１００と移動者管理端末２００と位置情報検索サーバ３００とを双方向に通信可能にする通信回線網である。このネットワーク４００は，例えば，インターネット，電話回線網，衛星通信網等の公衆回線網や，ＷＡＮ，ＬＡＮ，ＩＰ−ＶＰＮ等の専用回線網などで構成されており，有線，無線を問わない。
【００３７】
以上，位置情報検索システム１０の全体構成について説明した。次に，図２に基づいて，移動者端末，移動者管理端末および位置情報検索サーバの機能構成について説明する。
【００３８】
図２は，本実施形態における移動者端末１００，移動者管理端末２００および位置情報検索サーバ３００の機能構成図である。上述したように，移動者端末１００と移動者管理端末２００と位置情報検索サーバ３００は，ネットワークを介して双方向に通信可能な情報処理装置である。
【００３９】
＜２．移動者端末の機能構成＞
図２に示したように，移動者端末１００は，位置情報取得部１０２と，送信部１０４と，受信部１０８と，表示部１１０などから構成される。また，送信部１０４は，位置情報送信部１０６を含んでもよい。
【００４０】
位置情報取得部１０２は，移動者の位置する情報を取得して，位置情報を位置情報送信部１０６に提供する。上述したように，ユーザの位置情報は，ＧＰＳ衛星から発信される情報や，携帯電話やＰＨＳ用に設置された基地局で得られる情報を利用して位置情報を取得することができる。位置情報取得部１０２は，定期的に位置情報取得するようにしてもよいし，移動者の入力に応じて位置情報を取得するようにしてもよい。また，位置情報検索サーバの問い合わせに応じて位置情報を取得するようにしてもよい。位置情報取得部１０２により取得される位置情報は，移動者の現在位置を特定する情報であり，例えば，緯度経度情報や住所情報などを例示できる。
【００４１】
送信部１０４は，例えば，通信回線，通信回路，通信デバイス等で構成された通信インタフェースである。送信部１０４に備わる位置情報送信部１０６は，位置情報取得部１０２により提供された位置情報を位置情報検索サーバ３００に送信する。
【００４２】
受信部１０８は，例えば，通信回線，通信回路，通信デバイス等で構成された通信インタフェースである。受信部１０８は，位置情報検索サーバ３００より位置情報の問い合わせがあった場合には，位置情報取得部１０２に通知する。位置情報問い合わせの通知を受けた位置情報取得部１０２は，上述したような方法により，現在の位置情報を取得する。
【００４３】
表示部１１０は，液晶ディスプレイ等の表示装置と，表示装置にデータを表示させるインタフェース部などから構成される。
【００４４】
以上移動者端末１００の機能構成について説明した。次に，移動者管理端末２００の機能構成について説明する。
【００４５】
＜３．移動者管理端末の機能構成＞
図２に示したように，移動者管理端末２００は，検索対象領域入力部２０２と，送信部２０４と，受信部２０８と，表示部２１２などから構成される。送信部２０４は，検索対象領域送信部２０６を含み，受信部２０８は，移動者端末現在位置情報受信部２１０を含んでもよい。
【００４６】
検索対象領域入力部２０２は，検索対象領域の入力を受け付けるインタフェース部であって，例えばボタンやキーボード等の操作手段を有する。管理者により入力される検索対象領域は，例えば，移動者管理端末２００の表示部２１２に地図を表示させ，表示された地図のなかから，検索したい領域をマウスポインタ等を用いて指定するようにしてもよい。また，市や県やランドマーク等を指定することにより，検索対象領域を指定するようにしてもよい。管理者により入力された検索対象領域情報は，検索対象領域入力部２０２を介して送信部２０４に備わる検索対象領域送信部２０６に送信される。
【００４７】
送信部２０４は，例えば，通信回線，通信回路，通信デバイス等で構成された通信インタフェースである。送信部２０４に備わる検索対象領域送信部２０６は，検索対象領域入力部２０２より提供された検索対象領域を，位置情報検索サーバ３００に送信する。
【００４８】
受信部２０８は，例えば，通信回線，通信回路，通信デバイス等で構成された通信インタフェースである。受信部２０８に備わる移動者端末現在位置情報受信部２１０は，位置情報検索サーバ３００により送信された検索対象領域内に存在する移動者端末１００の現在位置情報を受信して，表示部２１２に提供する。
【００４９】
表示部２１２は，液晶ディスプレイ等の表示装置と，表示装置にデータを表示させるインタフェース部などから構成される。表示部２１２は，移動者端末現在位置情報受信部２１０より提供された，検索対象領域内に存在する移動者端末１００の現在位置情報を表示する機能を有する。移動者端末１００の現在位置情報は，地図データ上に表示するようにしてもよいし，現在位置情報となる住所情報を表示してもよい。また，検索対象領域内に存在する移動者端末１００が複数ある場合には，検索対象領域となる地図データ上に複数の移動者端末の位置を表示するようにしてもよい。
【００５０】
以上，移動者管理端末２００の機能構成について説明した。次に，位置情報検索サーバ３００の機能構成について説明する。
【００５１】
＜４．位置情報検索サーバの機能構成＞
図２に示したように，位置情報検索サーバ３００は，受信部３０２と，住所情報記憶部３０８と，地図情報記憶部３１０と，住所情報算出部３１２と，位置情報記憶部３１４と，検索対象移動者端末抽出部３１６と，現在位置情報判定部３１８と，表示データ作成部３２０と，送信部３２２などから構成される。
【００５２】
受信部３０２は，位置情報受信部３０４と，検索対象領域受信部３０６を備え，送信部３２４は，位置情報問い合わせ部３２４と，現在位置情報送信部３２６を備えてもよい。
【００５３】
受信部３０２は，例えば，通信回線，通信回路，通信デバイス等で構成された通信インタフェースである。位置情報受信部３０４は，移動者端末１００より送信された位置情報を受信して，住所情報算出部３１２に提供する。また，検索対象領域受信部３０６は，移動者管理端末２００より送信された検索対象領域を受信して，検索対象移動者端末抽出部３１６に提供する。
【００５４】
住所情報記憶部３０８は，例えば，ハードディスクドライブ，フラッシュメモリ等で構成されたデータ格納用の装置であり，緯度経度等の位置情報と，住所情報とが関連付けられて記憶されている。
【００５５】
地図情報記憶部３１０は，例えば，ハードディスクドライブ，フラッシュメモリ等で構成されたデータ格納用の装置であり，住所情報と地図情報とが関連づけられて記憶されている。
【００５６】
住所情報算出部３１２は，位置情報受信部２０４より提供された位置情報に基づいて，住所情報記憶部３０８に記憶されている住所情報を取得する。さらに，算出した住所情報を基に，地図情報記憶部３１０に記憶されている地図情報を取得する。住所情報算出部３１２により取得された住所情報と地図情報は，位置情報記憶部３１４に記憶される。住所情報算出部３１２は，位置情報受信部３０４により位置情報を受信した時刻を位置情報記憶部３１４に記憶するようにしてもよい。
【００５７】
また，移動者端末１００が複数存在する場合には，移動者端末１００の移動者端末特定情報と，その移動者端末１００の位置情報と，さらに位置情報を受信した時刻を関連づけて位置情報記憶部に記憶するようにしてもよい。移動者端末１００の移動者端末特定情報とは，移動者端末１００を一意に特定することのできる情報であって，例えば，携帯電話番号や，機器情報などである。
【００５８】
位置情報記憶部３１２は，例えば，ハードディスクドライブ，フラッシュメモリ等で構成されたデータ格納用の装置であり，住所情報算出部３１２により提供された位置情報と地図情報とが記憶されている。上述したように，位置情報検索サーバ３００に移動者端末が複数接続されている場合には，移動者端末ごとに住所情報および地図情報を記憶するようにしてもよい。その場合には，移動者端末１００の移動者端末特定情報と住所情報等を関連づけて記憶してもよい。
【００５９】
本実施形態では，位置情報に基づいた住所情報と地図情報とが位置情報記憶部３１２に記憶されているが，位置情報受信部３０４により受信された位置情報を位置情報記憶部３１４に記憶するようにしてもよい。
【００６０】
さらに，移動者端末１００の移動の速度や移動の方向などの情報も記憶するようにしてもよい。移動者端末１００の移動速度や移動方向は，例えば，位置情報記憶部３１２に記憶されている最新２点の位置情報から算出することができる。また，過去の位置情報を蓄積して記憶しておくことにより，移動者端末１００の移動速度や移動方向だけでなく，移動者端末１００の移動先を予測することも可能となる。
【００６１】
また，移動者検索サーバ３００において，予め所定の速度を移動速度として設定しておいてもよい。また，管理者により移動者管理端末２００に移動速度が入力されるようにして，その移動速度を検索対象領域とともに位置情報検索サーバ３００に送信され，設定されるようにしてもよい。
【００６２】
検索対象移動者端末抽出部３１６は，検索対象領域受信部３０６より検索対象領域を提供されると，その検索対象領域内である移動者端末１００を位置情報記憶部３１４より抽出する。上述したように，位置情報記憶部３１４には，移動者端末１００の移動者端末特定情報と位置情報とが関連付けられて記憶されているので，検索対象領域内に位置情報がある移動者端末１００を抽出することができる。
【００６３】
また，位置情報記憶部３１２に移動者端末１００の移動速度や移動方向が記憶されている場合には，検索対象領域内に存在する可能性のある移動者端末１００を抽出することができる。例えば，位置情報記憶部３１４に記憶されている位置情報が検索対象領域外であったとしても，その位置情報が検索対象領域に近い場合や，その位置情報と検索対象領域との最短距離と移動速度と移動方向を勘案して，移動者端末１００が検索対象領域内に移動する可能性が高いか否かを判定することが可能となる。
【００６４】
検索対象移動者端末抽出部３１６は，上記の如く抽出した移動者端末１００の移動者端末特定情報を位置情報問い合わせ部３２４に提供する。このとき，検索対象移動者端末抽出部３１６により抽出された移動者端末と，抽出されなかった移動者端末とが判別できるようにしてもよい。具体的には，位置情報記憶部３１４に記憶されている移動者端末情報に検索対象フラグを付与する等により，位置情報記憶部３１４に記憶されている移動者端末が検索対象か否かを判別することが可能となる。
【００６５】
送信部３２２は，例えば，通信回線，通信回路，通信デバイス等で構成された通信インタフェースである。送信部３２２に備わる位置情報問い合わせ部３２４は，検索対象移動者端末抽出部３１６により検索対象となった移動者端末の情報を提供される。検索対象移動者端末の情報を提供された位置情報問い合わせ部３２４は，検索対象となる移動者端末に対して位置情報の問い合わせを行う。位置情報問い合わせ部３２４により位置情報を問い合わせられた移動者端末１００は，現在の位置情報を位置情報受信部３０４に提供し，上述したように，その位置情報が位置情報記憶部３１４に記憶される。
【００６６】
現在位置情報判定部３１８は，位置情報記憶部３１４に記憶されている移動者端末情報のうち，検索対象フラグが付与されている情報の位置情報が，検索対象領域内であるか否かを判定する。上述したように，検索対象フラグが付与されている移動者端末の位置情報は，最新の位置情報である。現在位置情報判定部３１８により移動者端末の位置情報が検索対象領域内であると判定された場合には，その移動者端末の位置情報を表示データ作成部３２０または現在位置情報送信部３２６に提供する。移動者端末１００の位置情報を地図データ上に表示させる場合には，表示データ作成部３２０に位置情報を提供する。
【００６７】
表示データ作成部３２０は，地図情報記憶部３１０より地図データを取得し，検索対象領域の地図データ上に移動者端末の位置情報を表示する表示データを作成して現在位置情報送信部３２６に提供する。
【００６８】
送信部３２２に備わる現在位置情報送信部３２６は，現在位置情報判定部３１８より検索対象領域内の移動者端末の現在位置情報または，表示データ作成部３２０より検索対象領域内の移動者端末の現在位置情報を表示する表示データを提供され，移動者管理端末２００に送信する。
【００６９】
以上位置情報検索サーバ３００の機能構成について説明した。上記構成によれば，移動者端末１００により取得された位置情報が位置情報検索サーバ３００に記憶され，移動者管理端末２００により入力された検索対象領域内に存在するか，存在する可能性のある移動者端末１００が抽出される。そして，抽出された移動者端末１００の現在位置情報が問い合わせられ，検索対象領域内に存在する移動者端末１００の位置情報のみ移動者管理端末２００に送信される。これにより，移動者管理端末２００が管理する移動者端末すべてに現在位置情報を問い合わせることなく，検索対象領域内に存在する移動者端末に対してのみ現在位置情報を問い合わせることが可能となる。
【００７０】
上記位置情報検索サーバに備えられている機能は，それぞれ別のサーバに備えられていてもよい。例えば，図３に示したように，位置情報検索サーバ３００に，位置情報サーバ６０８と管理サーバ６１０とデータベースサーバ６１２を備えてもよい。この場合，位置情報サーバ６０８は，住所情報算出部３１２と，住所情報記憶部３０８と，地図情報記憶部３１０と，検索対象移動者端末抽出部３１６と，表示データ作成部３２０とを備え，管理サーバ６１０は，受信部３０２と送信部３２２とを備え，データベースサーバ６１２は，位置情報記憶部３１４を備えることにより，上述した位置情報検索サーバ３００と同様の機能を有するように構成できる。
【００７１】
また，位置情報検索サーバ３００とは異なる地図サーバ５００に地図情報を記憶させるようにしてもよい。この場合，位置情報検索サーバ３００に備わる位置情報地図情報記憶部３１０には，地図情報記憶している地図サーバ５００の所在位置のみを記憶するようにしてもよい。
【００７２】
＜５．位置情報検索システムの構成例＞
次に，本実施形態を図３に示した位置情報検索システム１０の例に適用して，位置情報検索システム１０の構成例について説明する。図３は，本実施形態にかかる位置情報検索システムの例を示した構成図である。
【００７３】
上述したように，位置情報検索サーバ３００は，位置情報サーバ６０８と，管理サーバ６１０と，データベースサーバ６１２などから構成される。位置情報検索サーバ３００は，ネットワーク上を流れるデータを他のネットワークに中継する機器であるルータ６０２によりネットワーク４００と接続されている。また，ルータ６０２は，ネットワークからの不正アクセスやウィルスなどからサーバを防御するファイヤウォール６０４と接続されている。このルータ６０２とファイヤウォール６０４と位置情報検索サーバ３００とを含んでサービスセンタ６００が構成される。
【００７４】
管理サーバ６１０は，移動者端末１００や移動者管理端末２００との間でネットワークを介した情報の送受信を管理するサーバであって，移動者端末１００より送信された位置情報を受信し，受信した位置情報を位置情報サーバ６０８に提供する。管理サーバ６１０は，移動者端末１００に位置情報を問い合わせて，位置情報を受信することも可能である。
また，移動者管理端末２００より送信された検索対象領域を受信して，位置情報サーバ６０８に提供する。
【００７５】
位置情報サーバ６０８は，位置情報である緯度経度情報または基地局の情報に対応する住所情報と，住所情報に対応する地図情報が記憶された地図サーバの所在位置とを記憶している。また，位置情報サーバ６０８は，管理サーバ６１０により提供された位置情報に基づいて住所情報を算出し，ネットワークを介して，地図サーバ５００より算出した住所情報に該当する地図情報を取得する。そして，住所情報と地図情報とをデータベースサーバ６１２に提供する。さらに，管理サーバ６１０により提供された検索対象領域内に存在する移動者端末１００を抽出して，抽出した移動者端末１００の情報を管理サーバ６１０に提供する。抽出した移動者端末１００の現在位置情報が検索対象領域内に存在する場合には，その移動者端末１００の情報を管理サーバ６１０に提供する。
【００７６】
位置情報サーバは，サービスセンタ６００の外部に位置情報センタとして設置され，移動者端末から送信された情報のうち，位置情報が含まれる場合には，位置情報センタで住所情報等を算出し，サービスセンタ６００に送信するようにしてもよい。
【００７７】
また，地図サーバ５００は，サービスセンタ６００の内部に設けられていてもよい。位置情報サーバが，上述したようにサービスセンタ６００の外部に設けられた場合には，位置情報サーバ内に備えるようにしてもよい。
【００７８】
データベースサーバ６１２は，位置情報サーバ６０８により提供された住所情報と地図情報とを受信時刻とともに時系列で記憶する。移動者端末１００が複数存在する場合には，移動者端末１００の移動者端末特定情報と位置情報とを関連付けてデータベースサーバ６１２に記憶するようにしてもよい。
【００７９】
ネットワーク４００には，地図サーバ５００が接続されていてもよい。地図サーバ５００は，地図情報を表示するためのデータを記憶している。サービスセンタ６００よりネットワークを介して位置情報を受信すると，その位置情報に該当する付近の地図情報をサービスセンタ６００に送信したり，検索対象領域の地図データをサービスセンタ６００に送信したりする。
【００８０】
移動者端末１００は，ネットワーク４００を介してサービスセンタ６００と接続されている。移動者端末１００により所定の間隔で取得された位置情報は，随時サービスセンタ６００に送信される。また，サービスセンタから位置情報の問い合わせがあった場合には，位置情報を取得してサービスセンタ６００に送信する。
【００８１】
移動者管理端末２００は，ネットワーク４００を介してサービスセンタ６００と接続されている。移動者端末の管理者より移動者管理端末２００に検索対象領域が入力されると，その検索対象領域の情報がサービスセンタ６００に送信される。そして，管理者により管理されている移動者端末１００のうち，検索対象領域内に存在する移動者端末１００の現在の位置情報がサービスセンタ６００から送信される。
【００８２】
以上，位置情報検索システム１０の構成例について説明した。次に，図４に基づいて，位置情報検索サーバにおける移動者端末検索の処理の流れについて説明する。
【００８３】
＜６．位置情報検索サーバにおける移動者端末検索の処理の流れ＞
図４は，位置情報検索サーバにおける移動者端末検索の処理の流れを説明するフローチャートである。移動者管理端末２００より検索対象領域を送信された位置情報検索サーバは，その検索対象領域内に移動者端末１００が存在するか否かを判定する（Ｓ１０２）。上述したように，位置情報検索サーバの情報記憶装置には，予め受信した移動者端末の位置情報が記憶されている。ステップＳ１０２においては，位置情報検索サーバは，情報記憶装置に記憶されている移動者端末の位置情報が検索対象領域内に存在するか否かを判定する。
【００８４】
ステップＳ１０２において，移動者端末が検索対象領域内ではないと判定された場合には，移動者端末が検索対象領域内に存在する可能性があるか否かを判定する（Ｓ１０４）。上述したように，移動者端末が検索対象領域内に存在する可能性があるか否かの判定は，情報記憶装置に記憶されている移動者端末の位置情報が，検索対象領域に近い場合や，その位置情報と検索対象領域との最短距離と移動速度と移動方向を勘案して，移動者端末が検索対象領域内に移動する可能性があるか否かを判定する。
【００８５】
ステップＳ１０４において，移動者端末が検索対象領域内に存在する可能性がないと判定された場合には，処理を終了する。ステップＳ１０２およびステップＳ１０４において，移動者端末が検索対象領域内であると判定された場合には，検索対象となる移動者端末の現在の位置情報を問い合わせる（Ｓ１０６）。
【００８６】
上述したように，移動者管理端末が管理する移動者端末が複数存在する場合には，ステップＳ１０２およびステップＳ１０４において，検索対象領域内に存在するか，または存在する可能性のある移動者端末を抽出して，検索対象領域内に存在するかまたは存在する可能性のある各移動者端末に現在の位置情報を問い合わせる。
【００８７】
ステップＳ１０６において，移動者端末の現在の位置情報を問い合わせた後，現在の位置情報が検索対象領域内であるか否かを判定する。ステップＳ１０８において，検索対象となる移動者端末の現在の位置情報が検索対象領域内ではないと判定された場合には，処理を終了する。ステップＳ１０８において，検索対象となる移動者端末の現在の位置情報が，検索対象領域内であると判定された場合には，ステップＳ１０６において問い合わせられた移動者端末の現在位置情報を移動者管理端末に送信する（Ｓ１１０）。
【００８８】
上記方法によれば，管理者が管理している移動者端末すべてに位置情報を問い合わせるのではなく，検索対象領域内に存在する可能性のある移動者端末にのみ位置情報を問い合わせて，検索対象領域内に現在存在している移動者端末の位置情報のみ移動者管理端末に送信することができる。このように，位置情報の問い合わせ先となる対象を絞り込むことにより，管理者に検索対象領域内に存在している移動者端末の位置情報のみ送信することができる。したがって，管理者が管理している移動者端末すべてに位置情報を問い合わせる場合に比べ，検索対象領域内に存在している移動者端末の位置情報を問い合わせて管理者に送信するまでにかかる時間を短縮することが可能となる。
【００８９】
以上，位置情報検索サーバにおける移動者端末検索の処理の流れを説明した。次に，図５に基づいて，位置情報検索システムの処理の流れについて説明する。
【００９０】
＜７．位置情報検索システムの処理の流れ＞
図５は，位置情報検索システムの処理の流れを説明する説明図である。まず，移動者端末１００において，位置情報が取得される（Ｓ２００）。ステップＳ２００において取得される位置情報は，移動者端末において，所定の間隔で取得されるようにしてもよいし，ユーザの入力に応じて取得されるようにしてもよい。また，移動者検索サーバから，問い合せがあった場合に位置情報を取得するようにしてもよい。
【００９１】
ステップＳ２００において取得された位置情報は，位置情報検索サーバに備わる管理サーバ６１０に送信される（Ｓ２０２）。管理サーバ６１０は，移動者端末より位置情報を受信すると（Ｓ２０４），受信した位置情報を位置情報サーバ６０８に提供する（Ｓ２０６）。
【００９２】
ステップＳ２０６において，管理サーバ６１０より位置情報を提供された位置情報サーバ６０８は，位置情報に基づいて住所情報を算出する（Ｓ２０８）。また，ステップＳ２０８において，住所情報に対応する地図情報を検索してもよい。ステップＳ２０８において算出された住所情報等の情報は，データベースサーバ６１２に提供される。位置情報等の情報を提供されたデータベースサーバ６１２は，データベースサーバ６１２に備わる位置情報記憶に位置情報等を記憶する（Ｓ２１０）。
【００９３】
ステップＳ２１４において，移動者を管理する管理者によりにより検索対象領域が入力されると，移動者管理端末２００は，検索対象領域を管理サーバ６１０に送信する。管理サーバ６１０は，移動者管理端末２００より検索対象領域を受信すると，位置情報サーバ６０８に提供する（Ｓ２１８）。
【００９４】
ステップＳ２１８において，検索対象領域を提供された位置情報サーバ６０８は，その検索対象領域内である移動者端末をデータベースサーバ６１２に備わる位置情報記憶部より抽出する。位置情報記憶部には，移動者端末の移動者端末特定情報と位置情報とが関連付けられて記憶されているので，検索対象領域内に位置情報がある移動者端末１００を抽出することができる。
【００９５】
また，位置情報記憶部に移動者端末の移動速度や移動方向が記憶されている場合には，検索対象領域内に存在する可能性のある移動者端末を抽出することができる。例えば，位置情報記憶部に記憶されている位置情報が検索対象領域外であったとしても，その位置情報が検索対象領域に近い場合や，その位置情報と検索対象領域との最短距離と移動速度と移動方向を勘案して，移動者端末が検索対象領域内に移動する可能性が高いか否かを判定することが可能となる。
【００９６】
ステップＳ２２０において，検索対象領域内に存在する可能性のある検索対象となる移動者端末が抽出される。位置情報サーバ６０８は，ステップＳ２２０において抽出した検索対象移動者端末の情報を管理サーバに提供する（Ｓ２２４）。
【００９７】
ステップＳ２２４において，検索対象となる移動者端末の情報を提供された管理サーバは，その情報に基づいて，検索対象移動者端末に現在位置情報を問い合わせる（Ｓ２２６）。管理サーバ６１０より位置情報の問い合わせがあった移動者端末１００は，現在の位置情報を取得して（Ｓ２２８），管理サーバ６１０に送信する（Ｓ２３０）。
【００９８】
位置情報を受信した管理サーバ６１０は，位置情報サーバ６０８に位置情報を提供する（Ｓ２３２）。ステップＳ２３２において，位置情報を提供された位置情報サーバ６０８は，その位置情報が検索対象領域内であるか否かを判定する（Ｓ２３４）。ステップＳ２３４において，検索対象移動者端末の現在の位置情報が検索対象領域内であると判定された場合には，位置情報に基づいて住所情報を算出する（Ｓ２３６）。また，住所情報に対応する地図情報が格納されている地図サーバ５００にアクセスして，地図情報を検索する（Ｓ２３８）。地図サーバ５００により住所情報に対応する地図情報が位置情報サーバ６０８に提供される（Ｓ２４０）。地図情報を提供された位置情報サーバ６０８は，検索対象領域の地図データ上に移動者端末の位置情報を表示する表示データを作成して管理サーバ６１０に提供する（Ｓ２４４）。
【００９９】
ステップＳ２４４において，位置情報サーバ６０８より表示データを提供された管理サーバ６１０は，移動者管理端末２００に表示データを送信する（Ｓ２４６）。ステップＳ２４６において，表示データを受信した移動者管理端末２００は，移動者端末の位置情報を表示する（Ｓ２４８）。
【０１００】
以上，第１実施形態について説明した。次に，第２実施形態について説明する。
【０１０１】
（第２実施形態）
第２実施形態では，管理者が管理する移動者端末と，通信事業者のサーバと，移動者管理端末と，位置情報検索サーバとがネットワークを介して接続可能な位置情報検索システム２０に本発明にかかる位置情報検索システムを適用して説明する。
【０１０２】
第２実施形態にかかる移動者端末，移動者管理端末および位置情報検索サーバの機能構成は，第１実施形態とほぼ同様の機能構成であるため，第１実施形態とは異なるシステム構成および処理についておもに説明する。
【０１０３】
＜８．位置情報検索システムの構成例＞
図６は，本実施形態にかかる位置情報検索システム２０の例を示した構成図である。本実施形態においては，本発明にかかる移動者端末を携帯電話に適用して以下説明する。位置情報検索システム２０は，携帯電話１５０と，通信事業者サーバ５５０と，携帯電話網４５０を介して接続され，通信事業さサーバ５５０と，地図サーバ５００とサービスセンタ６００とがネットワーク４００を介して接続されている。地図サーバ５００およびサービスセンタ６００は，第１実施形態とほぼ同様であるため，説明を省略する。
【０１０４】
本実施形態にかかる携帯電話１５０は，各種情報を携帯電話網４５０を介して通信事業者サーバ５５０に送信する。第１実施形態においては，携帯電話１５０において予め位置情報の送信先となるサーバを指定することなく，取得した位置情報は他の情報と同様に通信事業者サーバ５５０に送信される。また，携帯電話１５０は，定期的に基地局と通信を行っているため，基地局の情報も通信事業者サーバ５５０に送信される。
【０１０５】
携帯電話１５０から情報を受信する通信事業者サーバ５５０は，携帯電話１５０から受信した情報のうち，位置情報のみをサービスセンタ６００に送信するようにしてもよい。さらに，サービスセンタ６００に参照権限のある携帯電話の位置情報についてのみ，通信事業者サーバ５５０からサービスセンタ６００に送信されるようにしてもよい。
【０１０６】
このように通信事業者サーバ５５０から送信された携帯電話１５０の位置情報がサービスセンタ３００に送信された後，第１実施形態と同様の処理により，検索対象領域内に存在する可能性のある携帯電話１５０に対して位置情報の問い合わせが行われる。携帯電話１５０において取得された現在位置情報についても，通信事業サーバ５５０を介してサービスセンタ６００に送信される。
【０１０７】
以上，本実施形態にかかる位置情報検索システム２０のシステム構成例について説明した。次に，図７に基づいて位置情報検索システムの処理の流れを説明する。
【０１０８】
＜９．位置情報検索システムの処理の流れ＞
図７は，位置情報検索システムの処理の流れを説明する説明図である。まず，携帯電話１５０において，位置情報が取得される（Ｓ３００）。携帯電話１５０により取得された位置情報が，携帯電話網を介して通信事業者サーバ５５０に送信される（Ｓ３０２）。
【０１０９】
通信事業者サーバ５５０は，携帯電話１５０により送信された位置情報を，ネットワークを介してサービスセンタ６００に備わる管理サーバ６１０に送信する（Ｓ３０４）。管理サーバ６１０は，通信事業者サーバより位置情報を受信すると（Ｓ３０６），受信した位置情報を位置情報サーバ６０８に提供する（Ｓ３０８）。
【０１１０】
ステップＳ３０８において，管理サーバ６１０より位置情報を提供された位置情報サーバ６０８は，位置情報に基づいて住所情報を算出する（Ｓ３１０）。また，ステップＳ３１０において，住所情報に対応する地図情報を検索してもよい。ステップＳ３１０において算出された住所情報等の情報は，データベースサーバ６１２に提供される。位置情報等の情報を提供されたデータベースサーバ６１２は，データベースサーバ６１２に備わる位置情報記憶に位置情報等を記憶する（Ｓ３１２）。
【０１１１】
ステップＳ３１６において，移動者を管理する管理者によりにより検索対象領域が入力されると，移動者管理端末２００は，検索対象領域を管理サーバ６１０に送信する。管理サーバ６１０は，移動者管理端末２００より検索対象領域を受信すると，位置情報サーバ６０８に提供する（Ｓ３２０）。
【０１１２】
ステップＳ３２０において，検索対象領域を提供された位置情報サーバ６０８は，その検索対象領域内である移動者端末をデータベースサーバ６１２に備わる位置情報記憶部より抽出する。位置情報記憶部には，移動者端末の移動者端末特定情報と位置情報とが関連付けられて記憶されているので，検索対象領域内に位置情報がある移動者端末１００を抽出することができる。
【０１１３】
また，位置情報記憶部に移動者端末の移動速度や移動方向が記憶されている場合には，検索対象領域内に存在する可能性のある移動者端末を抽出することができる。例えば，位置情報記憶部に記憶されている位置情報が検索対象領域外であったとしても，その位置情報が検索対象領域に近い場合や，その位置情報と検索対象領域との最短距離と移動速度と移動方向を勘案して，移動者端末が検索対象領域内に移動する可能性が高いか否かを判定することが可能となる。
【０１１４】
ステップＳ３２２において，検索対象領域内に存在する可能性のある検索対象となる移動者端末が抽出される。位置情報サーバ６０８は，ステップＳ３２２において抽出した検索対象移動者端末の情報を管理サーバに提供する（Ｓ３２６）。
【０１１５】
ステップＳ２２４において，検索対象となる移動者端末の情報を提供された管理サーバは，その情報に基づいて，通信事業者サーバ５５０に，検索対象となる携帯電話１５０の現在位置情報を問い合わせる（Ｓ３２８）。管理サーバ６１０より位置情報の問い合わせがあった通信事業者サーバ６６０は，検索対象となる携帯電話１５０に位置情報の問い合わせを行う（Ｓ３３０）。ステップＳ３３０において，通信事業者サーバ５５０より位置情報の問い合わせがあった携帯電話１５０は，現在の位置情報を取得して（Ｓ３３２），通信事業者サーバ５５０に送信する（Ｓ３３４）。このとき，通信事業者サーバ５５０において，基地局の情報等により，携帯電話１５０の現在の位置情報がわかる場合には，その位置情報を管理サーバ６１０に送信するようにしてもよい。
【０１１６】
位置情報を受信した管理サーバ６１０は，位置情報サーバ６０８に位置情報を提供する（Ｓ３３８）。ステップＳ３３８において，位置情報を提供された位置情報サーバ６０８は，その位置情報が検索対象領域内であるか否かを判定する（Ｓ３４０）。ステップＳ３４０において，検索対象移動者端末の現在の位置情報が検索対象領域内であると判定された場合には，位置情報に基づいて住所情報を算出する（Ｓ３４２）。また，住所情報に対応する地図情報が格納されている地図サーバ５００にアクセスして，地図情報を検索する（Ｓ３４４）。地図サーバ５００により住所情報に対応する地図情報が位置情報サーバ６０８に提供される（Ｓ３４６）。地図情報を提供された位置情報サーバ６０８は，検索対象領域の地図データ上に移動者端末の位置情報を表示する表示データを作成して管理サーバ６１０に提供する（Ｓ３５０）。
【０１１７】
ステップＳ３５０において，位置情報サーバ６０８より表示データを提供された管理サーバ６１０は，移動者管理端末２００に表示データを送信する（Ｓ３５２）。ステップＳ３５２において，表示データを受信した移動者管理端末２００は，移動者端末の位置情報を表示する（Ｓ３５４）。以上，第２実施形態について説明した。
【０１１８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１１９】
上記実施形態においては，位置情報検索サーバが位置情報を記憶する構成となっているが，かかる例に限定されず，移動者管理端末において移動者端末の位置情報を記憶するようにしてもよい。移動者端末の数が少ない場合等には，移動者管理端末において移動者端末の位置情報を記憶することにより，検索対象領域内に存在する移動者端末の位置情報のみを検索することが可能となる。この場合，移動者管理端末は，検索対象サーバにアクセスせずとも検索対象領域内に存在する移動者端末のみの位置情報を検索することができる。
【０１２０】
また，移動者端末において取得された位置情報を，電子メールに添付して送信するようにしてもよい。電子メールを用いて位置情報を送信する場合には，移動者端末は，設定された間隔で位置情報を含む電子メールを作成して，その電子メールを位置情報検索サーバに送信する。位置情報を含む電子メールを受信した位置情報検索サーバは，電子メールに含まれる位置情報を抽出して，移動者端末の位置情報を取得することができる。
【産業上の利用可能性】
【０１２１】
本発明は，移動者管理端末を管理する移動者管理端末により入力された検索対象領域内に位置する移動者端末の位置情報を検索する位置情報検索システム，位置情報検索サーバおよび位置情報検索方法に適用可能である。
【図面の簡単な説明】
【０１２２】
【図１】本発明の第１の実施形態にかかる位置情報検索システム１０の全体構成図である。
【図２】同実施の形態にかかる移動者端末，移動者管理端末および位置情報検索サーバの機能構成図である。
【図３】同実施の形態にかかる位置情報検索システムの例を示した構成図である。
【図４】同実施の形態にかかる位置情報検索システムにおける移動者端末検索の処理の流れを説明するフローチャートである。
【図５】同実施の形態にかかる位置情報検索システムの処理の流れを説明する説明図である。
【図６】本発明の第２の実施形態にかかる位置情報検索システムの例を示した構成図である。
【図７】同実施の形態にかかる位置情報検索システムの処理の流れを説明する説明図である。
【符号の説明】
【０１２３】
１００      移動者端末
１０２      位置情報取得部
２００      移動者管理端末
２０２      検索対象領域入力部
３００      位置情報検索サーバ
３０４      位置情報受信部
３１４      位置情報記憶部
３１６      検索対象移動者端末抽出部
３１８      現在位置情報判定部
３２０      表示データ策西部
３２４      位置情報問い合わせ部
【図１】
2006245787.tif 000003
【図２】
2006245787.tif 000004
【図３】
2006245787.tif 000005
【図４】
2006245787.tif 000006
【図５】
2006245787.tif 000007
【図６】
2006245787.tif 000008
【図７】
2006245787.tif 000009